(57)【要約】【課題】  状況に応じて着信音再生に係る消費電力を抑制する携帯電話端末を提供する。【解決手段】  携帯電話端末のＣＰＵは、電圧検出回路を制御してバッテリの電圧値を測定する（Ｓ６０１）。電圧検出回路から読み出されるバッテリの電圧値が所定値以上であれば（Ｓ６０２のＹｅｓ）、所定時間の経過を待ち（Ｓ６０３）、Ｓ６０１の処理を行う。電圧検出回路から読み出されるバッテリの電圧値が所定値未満であれば、着信コマンド送信モードに設定する。着信コマンド送信モードでは、携帯電話無線通信部への着信があった際に、ＡＣＬリンクで着信コマンドをＢｌｕｅｔｏｏｔｈ通信部から送信する。【選択図】      図７
2006311392.tif 000002
【特許請求の範囲】
【請求項１】
バッテリの残容量を検出する検出手段と、
他の電話端末からの着信を受ける電話通信手段と、
他の機器と音声伝送リンク及びデータ伝送リンクにより無線通信を行う無線通信手段と、
前記検出手段により検出される前記バッテリの残容量に応じて、前記他の電話端末から前記電話通信手段への着信があった際に前記無線通信手段で前記音声伝送リンクにより前記他の機器に着信音を送信するか、前記データ伝送リンクにより前記他の機器に着信コマンドを送信するかを切り換える切換手段と
を備えることを特徴とする携帯電話端末。
【請求項２】
前記無線通信手段が行う前記他の機器との無線通信はＢｌｕｅｔｏｏｔｈ通信であり、
前記音声伝送リンクはＳＣＯリンクであり、
前記データ伝送リンクはＡＣＬリンクであること
を特徴とする請求項１記載の携帯電話端末。
【請求項３】
他の電話端末からの着信を受ける電話通信手段と、
他の機器と音声伝送リンク及びデータ伝送リンクにより無線通信し、前記データ伝送リンクで間欠的な無線通信を行う際の時間間隔を変更する要求を前記他の機器から受信する無線通信手段と、
前記無線通信手段で受信する前記要求の前記時間間隔に応じて、前記他の電話端末から前記電話通信手段への着信があった際に前記無線通信手段で前記音声伝送リンクにより前記他の機器に着信音を送信するか、前記データ伝送リンクにより前記他の機器に着信コマンドを送信するかを切り換える切換手段と
を備えることを特徴とする携帯電話端末。
【請求項４】
前記無線通信手段が行う前記他の機器との通信はＢｌｕｅｔｏｏｔｈ通信であり、
前記音声伝送リンクはＳＣＯリンクであり、
前記データ伝送リンクはＡＣＬリンクであること
を特徴とする請求項３記載の携帯電話端末。
【請求項５】
前記無線通信手段が行う前記他の機器との無線通信はハンズフリープロファイルに対応すること
を特徴とする請求項４記載の携帯電話端末。
【請求項６】
音声伝送リンク及びデータ伝送リンクにより他の機器と無線通信を行う携帯電話端末を制御する制御プログラムにおいて、
バッテリの残容量を検出する検出機能と、
他の電話端末からの着信を受ける電話通信機能と、
前記他の機器と音声伝送リンク及びデータ伝送リンクにより無線通信を行う無線通信機能と、
前記検出機能により検出される前記バッテリの残容量に応じて、前記電話通信機能で前記他の電話端末からの着信があった際に前記無線通信機能で前記音声伝送リンクにより前記他の機器に着信音を送信するか、前記データ伝送リンクにより前記他の機器に着信コマンドを送信するかを切り換える切換機能と
を備えることを特徴とする制御プログラム。
【請求項７】
前記無線通信機能が行う前記他の機器との無線通信はＢｌｕｅｔｏｏｔｈ通信であり、
前記音声伝送リンクはＳＣＯリンクであり、
前記データ伝送リンクはＡＣＬリンクであること
を特徴とする請求項６記載の制御プログラム。
【請求項８】
音声伝送リンク及びデータ伝送リンクにより他の機器と無線通信を行う携帯電話端末を制御する制御プログラムにおいて、
他の電話端末からの着信を受ける電話通信機能と、
他の機器と音声伝送リンク及びデータ伝送リンクにより無線通信し、前記データ伝送リンクで間欠的な無線通信を行う際の時間間隔を変更する要求を前記他の機器から受信する無線通信機能と、
前記無線通信機能で受信する前記要求の前記時間間隔に応じて、前記他の電話端末から前記電話通信機能への着信があった際に前記無線通信機能で前記音声伝送リンクにより前記他の機器に着信音を送信するか、前記データ伝送リンクにより前記他の機器に着信コマンドを送信するかを切り換える切換機能と
を備えることを特徴とする制御プログラム。
【請求項９】
前記無線通信機能が行う前記他の機器との無線通信はＢｌｕｅｔｏｏｔｈ通信であり、
前記音声伝送リンクはＳＣＯリンクであり、
前記データ伝送リンクはＡＣＬリンクであること
を特徴とする請求項８記載の制御プログラム。
【請求項１０】
携帯電話端末と、
前記携帯電話端末と音声伝送リンク及びデータ伝送リンクにより無線通信を行う無線通信機器と
を備える無線通信システムにおいて、前記携帯電話端末は、
バッテリの残容量を検出する検出機能と、
他の電話端末からの着信を受ける電話通信手段と、
前記無線通信機器と音声伝送リンク及びデータ伝送リンクにより無線通信を行う無線通信手段と、
前記検出手段により検出される前記バッテリの残容量に応じて、前記他の電話端末から前記電話通信手段への着信があった際に前記無線通信手段で前記音声伝送リンクにより前記無線通信機器に着信音を送信するか、前記データ伝送リンクにより前記無線通信機器に着信コマンドを送信するかを切り換える切換手段と
を備え、前記無線通信機器は、
前記携帯電話端末から前記着信音若しくは前記着信コマンドを受信する通信手段と、
前記通信手段により前記着信音を受信した際にこれを出力し、前記通信手段により着信コマンドを受信した際に所定の着信音を出力するスピーカ部と
を備えることを特徴とする無線通信システム。
【請求項１１】
前記無線通信手段及び前記通信手段が行う無線通信はＢｌｕｅｔｏｏｔｈ通信であり、
前記音声伝送リンクはＳＣＯリンクであり、
前記データ伝送リンクはＡＣＬリンクであること
を特徴とする請求項１０記載の無線通信システム。
【請求項１２】
携帯電話端末と、
前記携帯電話端末と音声伝送リンク及びデータ伝送リンクにより無線通信を行う無線通信機器と
を備える無線通信システムにおいて、前記携帯電話端末は、
他の電話端末からの着信を受ける電話通信手段と、
前記無線通信機器と音声伝送リンク及びデータ伝送リンクにより無線通信し、前記データ伝送リンクで間欠的な無線通信を行う際の時間間隔を変更する要求を前記無線通信機器から受信する無線通信手段と、
前記無線通信手段で受信する前記要求の前記時間間隔に応じて、前記他の電話端末から前記電話通信手段への着信があった際に前記無線通信手段で前記音声伝送リンクにより前記無線通信機器に着信音を送信するか、前記データ伝送リンクにより前記他の機器に着信コマンドを送信するかを切り換える切換手段と
を備え、前記無線通信機器は、
前記携帯電話端末から前記着信音若しくは前記着信コマンドを受信する通信手段と、
前記通信手段により前記着信音を受信した際にこれを出力し、前記通信手段により着信コマンドを受信した際に所定の着信音を出力するスピーカ部と、
前記無線通信機器で電力を供給するバッテリの残容量を検出する検出手段と
を備え、
前記通信手段は、前記検出手段により検出される前記バッテリの残容量に応じて、前記データ伝送リンクで間欠的な無線通信を行う際の時間間隔を変更する要求を送信すること
を特徴とする無線通信システム。
【請求項１３】
前記無線通信手段及び前記通信手段が行う無線通信はＢｌｕｅｔｏｏｔｈ通信であり、
前記音声伝送リンクはＳＣＯリンクであり、
前記データ伝送リンクはＡＣＬリンクであること
を特徴とする請求項１２記載の無線通信システム。
【請求項１４】
前記無線通信手段及び前記通信手段が行う無線通信はハンズフリープロファイルに対応すること
を特徴とする請求項１３記載の無線通信システム。
【発明の詳細な説明】
【技術分野】
【０００１】
本発明は、例えばＢｌｕｅｔｏｏｔｈ等の無線通信を行う機能を有する携帯電話端末、この携帯電話端末を制御する制御プログラム、及びこの携帯電話端末と無線通信を行う装置及びこの携帯電話端末から構成される無線通信システムに関する。
【背景技術】
【０００２】
近年、Ｂｌｕｅｔｏｏｔｈ（登録商標）等の無線通信を行う情報機器において、動作可能時間を延ばすために、省電力化が求められている（例えば、特許文献１参照）。特許文献１には、バッテリの残量に応じて、データ転送を間欠的に行うスニフモードに移行するＢｌｕｅｔｏｏｔｈ通信を行う情報通信装置が記載されている。
【０００３】
一方、近年ヘッドセットプロファイルやハンズフリープロファイルに対応した携帯電話端末が普及しつつある。例えばヘッドセットプロファイルやハンズフリープロファイルに対応した携帯電話端末とヘッドセットから構成される無線通信システムでは、携帯電話端末に着信があった際、携帯電話端末で予め設定された着信音を送信し、ヘッドセット側でこの着信音を再生することができる。即ち、例えばユーザが携帯電話端末で設定した着信メロディをヘッドセット側でも再生することができる。このような着信音の伝送は通常、Ｂｌｕｅｔｏｏｔｈ通信ではＳＣＯ（Ｓｙｎｃｈｒｏｎｏｕｓ  Ｃｏｎｎｅｃｔｉｏｎ−Ｏｒｉｅｎｔｅｄ）リンクにより行われる。
【特許文献１】特開２００３−０８７１７２号公報
【発明の開示】
【発明が解決しようとする課題】
【０００４】
しかしながらこのような着信音の伝送は、ユーザが携帯電話端末に設定した着信音を流すことができるが、その一方でこのような着信音はデータ量が多く、例えば６４ｋｂｐｓ等の比較的高い伝送レートで伝送する必要があるので消費電力が大きい。これにより、携帯電話端末やヘッドセットのバッテリの動作時間が短くなることがある。
【０００５】
また、Ｂｌｕｅｔｏｏｔｈ規格のＳＣＯリンクでは、データ通信を間欠的に行うスニフモードは認められておらず、着信音の転送に対して特許文献１記載の手法を適用することはできない。
【０００６】
そこで本発明は、状況に応じて着信音再生に係る消費電力を抑制する携帯電話端末を提供することを目的とする。
【課題を解決するための手段】
【０００７】
上記目的を達成するために、請求項１記載の携帯電話端末は、バッテリの残容量を検出する検出手段と、他の電話端末からの着信を受ける電話通信手段と、他の機器と音声伝送リンク及びデータ伝送リンクにより無線通信を行う無線通信手段と、前記検出手段により検出される前記バッテリの残容量に応じて、前記他の電話端末から前記電話通信手段への着信があった際に前記無線通信手段で前記音声伝送リンクにより前記他の機器に着信音を送信するか、前記データ伝送リンクにより前記他の機器に着信コマンドを送信するかを切り換える切換手段とを備えることを特徴とする。
【０００８】
請求項３記載の携帯電話端末は、他の電話端末からの着信を受ける電話通信手段と、他の機器と音声伝送リンク及びデータ伝送リンクにより無線通信し、前記データ伝送リンクで間欠的な無線通信を行う際の時間間隔を変更する要求を前記他の機器から受信する無線通信手段と、前記無線通信手段で受信する前記要求の前記時間間隔に応じて、前記他の電話端末から前記電話通信手段への着信があった際に前記無線通信手段で前記音声伝送リンクにより前記他の機器に着信音を送信するか、前記データ伝送リンクにより前記他の機器に着信コマンドを送信するかを切り換える切換手段とを備えることを特徴とする。
【０００９】
請求項６記載の制御プログラムは、音声伝送リンク及びデータ伝送リンクにより他の機器と無線通信を行う携帯電話端末を制御する制御プログラムにおいて、バッテリの残容量を検出する検出機能と、他の電話端末からの着信を受ける電話通信機能と、前記他の機器と音声伝送リンク及びデータ伝送リンクにより無線通信を行う無線通信機能と、前記検出機能により検出される前記バッテリの残容量に応じて、前記電話通信機能で前記他の電話端末からの着信があった際に前記無線通信機能で前記音声伝送リンクにより前記他の機器に着信音を送信するか、前記データ伝送リンクにより前記他の機器に着信コマンドを送信するかを切り換える切換機能とを備えることを特徴とする。
【００１０】
請求項８記載の制御プログラムは、音声伝送リンク及びデータ伝送リンクにより他の機器と無線通信を行う携帯電話端末を制御する制御プログラムにおいて、他の電話端末からの着信を受ける電話通信機能と、他の機器と音声伝送リンク及びデータ伝送リンクにより無線通信し、前記データ伝送リンクで間欠的な無線通信を行う際の時間間隔を変更する要求を前記他の機器から受信する無線通信機能と、前記無線通信機能で受信する前記要求の前記時間間隔に応じて、前記他の電話端末から前記電話通信機能への着信があった際に前記無線通信機能で前記音声伝送リンクにより前記他の機器に着信音を送信するか、前記データ伝送リンクにより前記他の機器に着信コマンドを送信するかを切り換える切換機能とを備えることを特徴とする。
【００１１】
請求項１０記載の無線通信システムは、携帯電話端末と、前記携帯電話端末と音声伝送リンク及びデータ伝送リンクにより無線通信を行う無線通信機器とを備える無線通信システムにおいて、前記携帯電話端末は、バッテリの残容量を検出する検出機能と、他の電話端末からの着信を受ける電話通信手段と、前記無線通信機器と音声伝送リンク及びデータ伝送リンクにより無線通信を行う無線通信手段と、前記検出手段により検出される前記バッテリの残容量に応じて、前記他の電話端末から前記電話通信手段への着信があった際に前記無線通信手段で前記音声伝送リンクにより前記無線通信機器に着信音を送信するか、前記データ伝送リンクにより前記無線通信機器に着信コマンドを送信するかを切り換える切換手段とを備え、前記無線通信機器は、前記携帯電話端末から前記着信音若しくは前記着信コマンドを受信する通信手段と、前記通信手段により前記着信音を受信した際にこれを出力し、前記通信手段により着信コマンドを受信した際に所定の着信音を出力するスピーカ部とを備えることを特徴とする。
【００１２】
請求項１２記載の無線通信システムは、携帯電話端末と、前記携帯電話端末と音声伝送リンク及びデータ伝送リンクにより無線通信を行う無線通信機器とを備える無線通信システムにおいて、前記携帯電話端末は、他の電話端末からの着信を受ける電話通信手段と、前記無線通信機器と音声伝送リンク及びデータ伝送リンクにより無線通信し、前記データ伝送リンクで間欠的な無線通信を行う際の時間間隔を変更すｓる要求を前記無線通信機器から受信する無線通信手段と、前記無線通信手段で受信する前記要求の前記時間間隔に応じて、前記他の電話端末から前記電話通信手段への着信があった際に前記無線通信手段で前記音声伝送リンクにより前記無線通信機器に着信音を送信するか、前記データ伝送リンクにより前記他の機器に着信コマンドを送信するかを切り換える切換手段とを備え、前記無線通信機器は、前記携帯電話端末から前記着信音若しくは前記着信コマンドを受信する通信手段と、前記通信手段により前記着信音を受信した際にこれを出力し、前記通信手段により着信コマンドを受信した際に所定の着信音を出力するスピーカ部と、前記無線通信機器で電力を供給するバッテリの残容量を検出する検出手段とを備え、前記通信手段は、前記検出手段により検出される前記バッテリの残容量に応じて、前記データ伝送リンクで間欠的な無線通信を行う際の時間間隔を変更する要求を送信することを特徴とする。
【発明の効果】
【００１３】
本発明によれば、状況に応じて着信音再生に係る消費電力を抑制する携帯電話端末を提供することができる。
【発明を実施するための最良の形態】
【００１４】
以下、本発明の携帯電話端末及び無線通信システムについて、図面を参照しながら説明する。
【実施例１】
【００１５】
図１は、本発明の無線通信システムの実施例を含む携帯電話通話システムの構成を示す図である。無線通信システム１は、携帯電話２及びヘッドセット３（他の機器、無線通信機器）から構成される。携帯電話２及びヘッドセット３は、ハンズフリープロファイルに対応したＢｌｕｅｔｏｏｔｈ通信を行うことができる。また、携帯電話端末２は、電話回線網４を介して携帯電話端末５と通信することができる。携帯電話端末５から携帯電話端末２への着信があった場合には、携帯電話端末２はこの着信をヘッドセット３へ転送し、ヘッドセット側で着信音が再生される。通話開始後は、携帯電話端末２を介してヘッドセット３と携帯電話端末５との間で通話が行われる
【００１６】
まず、携帯電話端末２への着信時の動作の概略について説明する。図２は、携帯電話端末２への着信時の動作について示す図である。図２（ａ）は携帯電話端末２のバッテリ残量が所定量以上の場合、図２（ｂ）は携帯電話端末２のバッテリ残量が所定量未満の場合である。
【００１７】
携帯電話端末２のバッテリ残量が所定量以上であれば、携帯電話端末２に携帯電話端末５からの着信があった場合に、携帯電話端末２は着信メロディを再生し、これをＳＣＯリンクでヘッドセット３へ送信する。ヘッドセット３は、この着信メロディをスピーカから出力し、ユーザに着信を知らせる。
【００１８】
携帯電話端末２のバッテリ残量が所定量未満であれば、携帯電話端末２に携帯電話端末５からの着信があった場合に、携帯電話端末２はＡＣＬ（Ａｓｙｎｃｈｒｏｎｏｕｓ  Ｃｏｎｎｅｃｔｉｏｎ−Ｌｅｓｓ）リンクで着信コマンド（ＲＩＮＧ  ａｌｅｒｔ）をヘッドセット３に送出する。ヘッドセット３は、着信コマンドの受信を受け、所定の着信音を再生する。
【００１９】
図３は、携帯電話端末２の構成を示す図である。携帯電話端末２は、各構成要素を制御するＣＰＵ（Ｃｅｎｔｒａｌ  Ｐｒｏｃｅｓｓｉｎｇ  Ｕｎｉｔ）２１（切換手段）、バッテリ２２、バッテリ２２の電圧を検出する電圧検出回路２３（検出手段）、電話回線網４を介して携帯電話端末５と通信を行う携帯電話無線通信部２４（電話通信手段）、マイクロフォン２５、スピーカ２６、ヘッドセット３とのＢｌｕｅｔｏｏｔｈ通信を行うＢｌｕｅｔｏｏｔｈ通信部２７（無線通信手段）、携帯電話無線通信部２４からの音声通信の切換を行う音声パス切換部２８から構成される。
【００２０】
ＣＰＵ２１は、制御プログラム２１ａにより携帯電話端末２の各構成要素を制御する。また後述するが、制御プログラム２１ａは、Ｂｌｕｅｔｏｏｔｈ通信部２７から着信音を送信するか、着信コマンドを送信するかを切り換える機能を有する。
【００２１】
バッテリ２２は、携帯電話端末２の各構成要素に対して電力を供給する。また、電圧検出回路２３はバッテリ２２の電圧を計測し、バッテリ２２の残容量を調べることができる。
【００２２】
マイクロフォン２５及びスピーカ２６は、携帯電話端末２で通話を行う際に、ユーザの声の集音及び、携帯電話端末５から送信されてきた音声の出力を行う。
Ｂｌｕｅｔｏｏｔｈ通信部２７は、ヘッドセット３との間でＢｌｕｅｔｏｏｔｈ通信を行うための無線通信インタフェースである。ユーザがヘッドセット３で通話している際には、携帯電話端末５からの音声データはＢｌｕｅｔｏｏｔｈ通信部２７からヘッドセット３に向けて送信され、ヘッドセット３からの音声データはＢｌｕｅｔｏｏｔｈ通信部２７から受信されて携帯電話無線通信部２４から送信される。また、携帯電話端末５からの着呼時には、ユーザの設定した着信メロディ若しくは着信コマンドがＢｌｕｅｔｏｏｔｈ通信部２７からヘッドセット３に向けて送信される。
【００２３】
音声パス切換部２８は、携帯電話無線通信部２４から携帯電話端末５への通話を行っている際に、この通話にかかる音声データをマイクロフォン２５及びスピーカ２６との間で入出力するか、若しくはＢｌｕｅｔｏｏｔｈ通信部２７での無線通信によりヘッドセット３との間で入出力するかを切り換える。
【００２４】
図４は、ヘッドセット３の構成を示す図である。ヘッドセット３は、各構成要素を制御するＣＰＵ３１と、バッテリ３２と、バッテリ３２の電圧を検出する電圧検出回路３３（検出手段）と、携帯電話端末２と無線通信を行うＢｌｕｅｔｏｏｔｈ通信部３４（通信手段）と、マイクロフォン３５と、スピーカ３６（スピーカ部）とから構成される。
【００２５】
バッテリ３２は、ヘッドセット３の各構成要素に対して電力を供給する。また、電圧検出回路３３はバッテリ３２の電圧を計測し、バッテリ３２の残容量を調べることができる。
【００２６】
Ｂｌｕｅｔｏｏｔｈ通信部３４は、携帯電話端末２のＢｌｕｅｔｏｏｔｈ通信部２７との間でＢｌｕｅｔｏｏｔｈ通信を行うための無線通信インタフェースである。Ｂｌｕｅｔｏｏｔｈ通信部３４は、携帯電話端末２からの音声データを受信し、またマイクロフォン２５で集音したユーザの音声を携帯電話端末２へ向けて送信する。さらに、着呼時には、携帯電話端末２からの着信メロディ若しくは着信コマンドがＢｌｕｅｔｏｏｔｈ通信部３４で受信される。
【００２７】
マイクロフォン３５及びスピーカ３６は、通話時にユーザの声の集音及び携帯電話端末から送信されてきた音声の出力を行う。また、スピーカ３６は着信時に着信メロディ若しくは着信音を出力し、ユーザに着信を知らせる。
【００２８】
次に、図５及び図６を参照しながら、携帯電話端末２及びヘッドセット３間の通信について説明する。図５は、ＳＣＯリンクでの通信時における携帯電話端末２とヘッドセット３との間でのデータ通信を示す図である。
【００２９】
Ｂｌｕｅｔｏｏｔｈ通信では、６２５μｓを基本単位とするタイムスロットを用いて、通信周波数を所定のシーケンスでホッピングさせながら通信を行う。特にＳＣＯリンクでは、一定周期の時間間隔で通信スロットが提供される。例えば図５の例では、１スロット毎に交互に携帯電話端末２とヘッドセット３とが通信している。ＳＣＯリンクは回線交換型のリンクであり、主に音声伝送が行われる。着信メロディを携帯電話端末２からヘッドセット３へ転送する際には、ＳＣＯリンクで着信メロディのデータが転送される。
【００３０】
一方、Ｂｌｕｅｔｏｏｔｈ通信のデータ伝送に対しては、パケット交換型のＡＣＬリンクが定義される。ＡＣＬリンクでは、所定の間隔をあけて通信を行うスニフモードが認められている。図６は、ＡＣＬリンクでのスニフモード時における携帯電話端末２とヘッドセット３との通信の例を示す図である。図６に示すように、スニフモードではパケット送受信が間欠的に行われるため、パケット送受信を行わない時間（時間Ｔ２）は、Ｂｌｕｅｔｏｏｔｈ通信部２７やＢｌｕｅｔｏｏｔｈ通信部３４の動作を停止させることができ、その分、消費電力を抑えることができる。携帯電話端末２とヘッドセット３との間でのＢｌｕｅｔｏｏｔｈ通信では、携帯電話端末５からまだ着信を受けていない状態では、消費電力の少ないスニフモードでお互いに定期的にパケットのやり取りを行い、同期を行う。尚、このスニフモードにおける通信間隔であるスニフ周期は、携帯電話端末２若しくはヘッドセット３のどちらからの要求によっても変更することができる。
【００３１】
着信コマンドを携帯電話２からヘッドセット３に転送し、ヘッドセット３に予め用意された所定の着信音を鳴らす際には、ＡＣＬリンクで着信コマンドが転送される。この着信コマンドは、例えは２秒に１回程度の頻度で送信され、数バイト程度のデータである。
【００３２】
図７は、携帯電話端末２を制御する制御プログラム２１ａのバッテリ２２の残容量に応じた着信音に関する設定に係る処理の流れを示すフローチャートである。尚、このフローチャートの開始時において、着信メロディをＳＣＯリンクで転送する着信音転送モード（ｉｎｂａｎｄ  ｒｉｎｇ  ｔｏｎｅモード）に設定されているものとする。
【００３３】
まず制御プログラム２１ａは、電圧検出回路２３を制御し、バッテリ２２の電圧値を測定する（Ｓ６０１）。電圧検出回路２３から読み出されるバッテリ２２の電圧値が所定値以上であれば（Ｓ６０２のＹｅｓ）、例えば１分等の所定時間の経過を待ち（Ｓ６０３）、再度Ｓ６０１の処理を行う。電圧検出回路２３から読み出されるバッテリ２２の電圧値が所定値未満であれば（Ｓ６０２のＮｏ）、着信コマンド送信モード（ｎｏ−ｉｎｂａｎｄ  ｒｉｎｇ  ｔｏｎｅモード）に設定する（Ｓ６０４）。着信コマンド送信モードでは、携帯電話無線通信部２４への着信があった際に、ＡＣＬリンクで着信コマンドをＢｌｕｅｔｏｏｔｈ通信部２７から送信する。
【００３４】
続いて、ヘッドセット３を制御するＣＰＵ３１のバッテリ３２の残容量に応じた処理について図８及び図９を参照しながら説明する。図８は、バッテリ３２の残容量に応じたＣＰＵ３１の処理の流れを示すフローチャートである。尚図８の開始時点において、携帯電話端末２とヘッドセット３との間には、ＡＣＬリンクが確立しているものとする。
【００３５】
まずＣＰＵ３１は、電圧検出回路３３を制御し、バッテリ３２の電圧値を測定する（Ｓ７０１）。電圧検出回路３２から読み出されるバッテリ３２の電圧値が所定値未満であれば（Ｓ７０２のＮｏ）、ＣＰＵ３１は、Ｂｌｕｅｔｏｏｔｈ通信部３４で行う通信のスニフ周期を大きく設定し（Ｓ７０３）、スニフ周期の変更要求をＢｌｕｅｔｏｏｔｈ通信部３４から携帯電話端末２に向けて送信する（Ｓ７０４）。スニフ周期を大きくすることにより、Ｂｌｕｅｔｏｏｔｈ通信部３４での通信頻度が下がるので、消費電力をより抑えることができる。
【００３６】
スニフ周期の変更要求の送信後（Ｓ７０４）、或いは電圧検出回路３２から読み出されるバッテリ３２の電圧値が所定値以上であれば（Ｓ７０２のＹｅｓ）、例えば１分等の所定時間の経過を待ち（Ｓ７０５）、Ｓ７０１の処理を行う。
【００３７】
図９は、スニフ周期変更要求受信に係る、制御プログラム２１ａの処理の流れである。制御プログラム２１ａは、Ｂｌｕｅｔｏｏｔｈ通信部２７でヘッドセット３からのスニフ周期の変更要求受信後（Ｓ８０１）、Ｂｌｕｅｔｏｏｔｈ通信部２７で行う通信のスニフ周期を変更する（Ｓ８０２）。さらに、このスニフ周期が所定値以上であるか否かを判断し（Ｓ８０３）、このスニフ周期が所定値以上であれば（Ｓ８０３のＹｅｓ）、ヘッドセット３のバッテリ３２の残容量が所定値以下となったことが推測されるので、消費電力の低減を図ることのできる着信コマンド送信モードに設定する。
【００３８】
Ｓ８０３でスニフ周期が所定値未満であれば（Ｓ８０３のＮｏ）、ヘッドセット３のバッテリ３２の残容量はまだ十分にあると判断し、着信コマンド送信モードには設定せずに処理を終える。
【００３９】
図１０は、携帯電話端末２での着信時における制御プログラム２１ａの処理の流れについて示す図である。
携帯電話無線通信部２４で、携帯電話端末５からの着信を受けると（Ｓ９０１）、制御プログラム２１ａは着信コマンド送信モードであるか否かを判断する（Ｓ９０２）。着信コマンド送信モードには先述の通り、図７のＳ６０４或いは図９のＳ８０４で、携帯電話端末２のバッテリ２２の残容量或いはヘッドセット３２の残容量に応じて設定される。
【００４０】
着信コマンド送信モードであれば（Ｓ９０２のＹｅｓ）、制御プログラム２１ａはＢｌｕｅｔｏｏｔｈ通信部２７からヘッドセット３へ向けて着信コマンドを送信する（Ｓ９０３）。尚、ヘッドセット３は、Ｂｌｕｅｔｏｏｔｈ３４での着信コマンド着信を受けて、所定の着信音を再生する。
【００４１】
着信コマンド送信モードでなければ、即ち着信音転送モードであれば（Ｓ９０２）、制御プログラム２１ａはＳＣＯリンクをヘッドセット３との間で確立し（Ｓ９０４）、ユーザが予め設定した着信メロディを着信音としてＢｌｕｅｔｏｏｔｈ通信部２７からＳＣＯリンクで送信する（Ｓ９０５）。
【００４２】
以上説明したように、本実施例によれば、電圧検出回路２３で電圧を検出し、その電圧に応じて着信コマンド送信モードと着信音転送モードとを切り換えるので、例えばバッテリ２２の残容量が十分にある場合には、ユーザが携帯電話端末２で設定した任意の着信メロディをヘッドセット３でも鳴らすことができると共に、バッテリ２２の残容量が少ないときには、着信メロディを送信せずに、着信コマンドを送信することで消費電力の節減を図ることができる。
【００４３】
また、本実施例ではヘッドセット３がバッテリ３２の残容量に応じてスニフ周期を大きく設定し、携帯電話端末２がそのスニフ周期が長くなったことによりヘッドセット３のバッテリ３２の残容量が所定量以下となったと判断して着信コマンド送信モードに移行する。これにより、ヘッドセット３のバッテリ３２の残容量が少ない場合に、着信メロディを送信せずに着信コマンドを送信することでヘッドセット３の動作時間を長くすることができる。特に、ハンズフリープロファイルの仕様では、ハンズフリープロファイルオーディオゲートウェイである携帯電話端末２のバッテリ２２の容量をハンズフリープロファイルユニットであるヘッドセット３に通知する手順は定められているが、ヘッドセット３のバッテリ３２の残容量を携帯電話端末２に通知する手順は定められていない。よってヘッドセット３のバッテリ残容量に応じて携帯電話端末２で省電力処理を行おうとすると、特別な手順を設計、実装する必要があるが、本実施例によればそのような特別な処理の設計、実装を必要とせず、ヘッドセット３のバッテリ３２の残量に応じて省電力処理を行うことができる。
【００４４】
本実施例によれば、バッテリ３２の残量に余裕があればスニフ周期が小さく設定され、残量に余裕が無ければスニフ周期が大きく設定される。スニフ周期を大きくすると、消費電力が小さくなる反面、応答性が悪くなるが、本実施例では通常は応答性の良い状態で利用することが可能であると同時に、バッテリ３２の残量が少なくなれば消費電力を低減して動作時間を長くすることが可能である。
【００４５】
本実施例の携帯電話端末２は、ハンズフリープロファイルに対応しているので、ハンズフリープロファイルに対応したヘッドセットや車載ユニット等の多くの機器に対応することができる。
【図面の簡単な説明】
【００４６】
【図１】本発明の実施例１に係る無線通信システムを含む携帯電話通話システムの構成を示す図。
【図２】本発明の実施例１に係る無線通信システムの動作について説明するための図。
【図３】本発明の実施例１に係る携帯電話端末の構成を示す図。
【図４】本発明の実施例１に係る無線通信システムのヘッドセットの構成を示す図。
【図５】本発明の実施例１に係る無線通信システムでのＳＣＯリンクでの通信について説明するための図。
【図６】本発明の実施例１に係る無線通信システムでのＡＣＬリンクでのスニフモード時の通信について説明するための図。
【図７】本発明の実施例１に係る携帯電話端末のバッテリの残容量に応じた処理の流れを示すフローチャート。
【図８】本発明の実施例１に係る無線通信システムのヘッドセットのバッテリの残容量に応じた処理の流れを示すフローチャート。
【図９】本発明の実施例１に係る携帯電話端末の、ヘッドセットからのスニフ周期変更要求にかかる処理の流れを示すフローチャート。
【図１０】本発明の実施例１に係る携帯電話端末の着信時における処理の流れを示す図。
【符号の説明】
【００４７】
１・・・無線通信システム
２、５・・・携帯電話端末
３・・・ヘッドセット
４・・・電話回線網
２１・・・ＣＰＵ
２１ａ・・・制御プログラム
２２・・・バッテリ
２３・・・電圧検出回路
２４・・・携帯電話無線通信部
２５・・・マイクロフォン
２６・・・スピーカ
２７・・・Ｂｌｕｅｔｏｏｔｈ通信部
２８・・・音声パス切換部
３１・・・ＣＰＵ
３２・・・バッテリ
３３・・・電圧検出回路
３４・・・Ｂｌｕｅｔｏｏｔｈ通信部
３５・・・マイクロフォン
３６・・・スピーカ
【図１】
2006311392.tif 000003
【図２】
2006311392.tif 000004
【図３】
2006311392.tif 000005
【図４】
2006311392.tif 000006
【図５】
2006311392.tif 000007
【図６】
2006311392.tif 000008
【図７】
2006311392.tif 000009
【図８】
2006311392.tif 000010
【図９】
2006311392.tif 000011
【図１０】
2006311392.tif 000012